(57)【要約】【課題】機械的遠心力型風力分級機（ＴＳＰ；トナーセパレータやＴＴＳＰ；タンデムトナーセパレータ）の風力分級機における上記の問題点を解決し、長期にわたって該機械的遠心力型風力分級機を含むトナー製造設備機内にトナー付着がなく、安定した分級粒度の確保ができ、トナーを高処理量かつ高収率で生産できるトナーの製造設備、製造方法を提供すること。【解決手段】羽根車型の分級機（通称TSP、TTSP(トナーセパレーター、タンデムトナーセパレーター)の出口配管と分級機出口におけるマイナス静圧が、分級機出口内圧＜出口配管内圧の関係にあるトナー分級装置。【選択図】図２
2008026457.tif 000002
【特許請求の範囲】
【請求項１】
羽根車型の分級機（通称TSP、TTSP(トナーセパレーター、タンデムトナーセパレーター)の出口配管と分級機出口におけるマイナス静圧が、分級機出口内圧＜出口配管内圧の関係にあるトナー分級装置。
【請求項２】
前記羽根車型の分級機（TSP、TTSP）の出口配管に吸引ホースを設けたブロワー等の吸引手段により吸引することを特徴とする請求項１に記載の分級装置。
【請求項３】
前記吸引ホースが微粉取り出し室側に接続していることを特徴とする請求項１又は２に記載の分級装置。
【請求項４】
前記吸引ホースが原料投入口と接続していることを特徴とする請求項１乃至３のいずれかに記載の分級装置。
【請求項５】
前記吸引ホースと出口配管との接続状態は、少なくとも吸引部の向きが製品排出側に接続されていることを特徴とする請求項１乃至４のいずれかに記載の分級装置。
【請求項６】
前記吸引ホースの内径がφ２〜φ３０ｍｍであることを特徴とする請求項１乃至５のいずれかに記載の分級装置。
【請求項７】
前記吸引ホースに流量調整弁を具備し分級機出口内圧に対し出口配管内圧が−１〜−２０Kpa引圧であることを特徴とする請求項１乃至６のいずれかに記載の分級装置。
【請求項８】
分級工程を有するトナー製造方法であって、羽根車型の分級機（通称TSP、TTSP(トナーセパレーター、タンデムトナーセパレーター)の出口配管と分級機出口におけるマイナス静圧が、分級機出口内圧＜出口配管内圧の関係にある分級機を用いたこと特徴とするトナー製造方法。
【請求項９】
前記羽根車型の分級機（TSP、TTSP）の出口配管に吸引ホースを設けた吸引手段により吸引することを特徴とする請求項８に記載のトナー製造方法。
【請求項１０】
前記ホースが微粉取り出し室側に接続していることを特徴とする請求項８又は９に記載のトナー製造方法。
【請求項１１】
前記ホースが原料投入口と接続していることを特徴とする請求項８乃至１０のいずれかに記載のトナー製造方法。
【請求項１２】
前記吸引ホースと出口配管との接続状態は、少なくとも吸引部の向きが製品排出側に接続されていることを特徴とする請求項８乃至１１のいずれかに記載のトナー製造方法。
【請求項１３】
前記吸引ホースの内径がφ２〜φ３０ｍｍであることを特徴とする請求項８乃至１１のいずれかに記載のトナー製造方法。
【請求項１４】
前記吸引ホースに流量調整弁を具備し分級機出口内圧に対し出口配管内圧が−１〜−２０Kpa引圧であることを特徴とする請求項１乃至６のいずれかに記載のトナー製造方法。
【発明の詳細な説明】
【技術分野】
【０００１】
本発明は、電子写真法、静電記録法、静電印刷法、またはトナージェット方式記録法の如き画像形成方法に用いられるトナーの製造装置及び製造方法に関する。
【背景技術】
【０００２】
電子写真法の如き画像形成方法においては、静電荷像を現像するためのトナーが使用される。トナーの製造法としては粉砕法および重合法に大別され、簡便かつポピュラーな製造方法としては粉砕法が挙げられる。この粉砕法による一般的な製造方法としては、転写材に定着させるための結着樹脂、トナーとしての色味を出させる着色剤が使用され、必要に応じてトナー粒子に電荷を付与させるための荷電制御剤、トナー自身に搬送性などを付与するための磁性材料や、離型剤、流動性付与剤などの添加剤を加えて混合し、溶融混練して冷却固化した後、混練物を粉砕手段により微細化し、分級手段により所望の粒度分布に分級したり、更に流動化剤などを添加したりして、画像形成に供するトナーとしている。また、二成分現像方法に用いるトナーの場合には、各種磁性キャリアと上記トナーとを混合した後、画像形成に供する。
近年、高速印字のためにトナー材料として、低融点樹脂そして高解像度を得るために小粒径で離型剤、典型的にはＷａｘを含有したトナーが増えてきており、トナーの粉砕や分級の際にトナー粒子界面に現れまたはトナー粒子より脱離し、遊離するＷａｘの低分子量、低融点の性質によってベタ付きが発生し、製造機械内への付着が問題となってきている。
【０００３】
図１は、微粉体製造システム（トナー製造システム）の一例を示すブロック図である。このシステムでは、原料を粉砕する粉砕手段と、粉砕された原料を粒度分級する分級手段を備えている。
【０００４】
図１のシステムでは、分級手段（８３２）は、粉砕手段（８３１）により粉砕された原料を、規定粒度よりも大きい粒度の粗粉と、規定粒度内の中粉（製品）と、規定粒度よりも小さい粒度の微粉とに粒度分級する。粗粉は粉砕手段（８３１）により再粉砕され、再び分級手段（８３２）に供給される。微粉は回収されて原料混合工程へと戻される。粉砕手段には、公知の気流式粉砕機や機械式粉砕機等が使用される。また、分級手段には後述する多分割気流式分級機や鉛直軸式の空気分流機公知の各種分級機が使用される。
【０００５】
トナー分級装置は、羽根車型でない分級装置と、羽根車型の分級装置とに分けることができるが、本発明は、後者の羽根車型のトナー分級装置に効果的に適用することができる。羽根車型のトナー分級装置には、例えば特許文献１の特開平１０−１１８５７１号公報あるいは特許文献２の特開２００１−１０４８８８号公報に開示されている機械的遠心力型風力分級機（通称ＴＳＰ（トナーセパレータ））や、特許文献３の特開２００１−２９３４３８号公報あるいは特許文献４の特願２００５−２１６６７５号明細書及び図面に開示されているＴＴＳＰ（タンデムトナーセパレータ）と称される風力分級機が含まれる。前者のＴＳＰ分級機は、回転するロータに設けられた羽根による遠心力（粗粉収集・取り出し）とファン吸引力による求心力（したがって、回転軸周辺部から微粉収集・取り出し）との均衡によって分級を行うものであり、後者のＴＴＳＰ分級機は、１つのケーシング内で片側を支承されていてモータで駆動可能な２つの羽根車型分級ロータを有し、同軸上の該各分級ロータが、その軸方向の第１の端部において閉じられたカバー円板を有し、且つその軸方向の第２の端部において微粒物若しくは中粒物の取り出し機構を有し、各分級ロータの互いに向き合う端部間において、分級ロータの両方の第１の端部は端面が互いに向き合うように配置されていて、軸方向に微小な流動空間を形成している軸方向に微小な流動空間を形成しているものである。
【０００６】
ところで、近年、高画質の要請から、現像、転写工程でドット変動が少ないためにドット再現性に優れる粒径分布がシャープなトナーが求められている。このため、製造装置として、４μｍ以下のトナーを精度良く分級し、５μｍ以上成分のトナーを高い収率で得ることができる装置が求められている。
【０００７】
また、近年では特に次のような要請により、付着、融着し易いトナーが用いられている。すなわち、（１）消費エネルギー低減の観点から、トナーの低温定着化。（２）カラートナーにおいては、混色性の要請から低軟化点のバインダー樹脂が使用される。（３）オイルレス定着に対応した、離型剤を含有したトナーが求められている。
【０００８】
これらのトナーは粉砕機、分級機、混合機の内部で付着、融着を生じやすい。特に離型剤含有トナーは、トナー付着、トナー融着が顕著で問題が大きく、粉砕機、分級機においては、トナー付着の進行、トナー固着の進行はトナーの生産性を低下させてしまい、また、トナー凝集塊の脱離が、分級機稼働中において含塵濃度の脈動の原因となって分級精度を低下させてしまう。また、混合機においては、固着したトナーの混入が製品の品質を低下させ画質低下につながる。
【０００９】
上記不都合は、前述のＴＴＳＰで顕著である。ＴＴＳＰまたはＴＳＰは分級精度に優れるが、回転子と固定子によって分級された製品出口部が狭いため、トナー付着、トナー融着による排出性が問題であった。
【００１０】
ＴＴＳＰまたはＴＳＰにおける、連続稼働時のトナー付着、トナー固着による製品排出性悪化の主たるものとして、次のようなものがある。
１．）分級ロータの場合、狭キャップのため、外周面に固着が発生し、固着物が脱離して粗粒側（製品側）に混入する。
２．）分級室の場合、トナー付着によりトナーの滞留時間が不安定になり分級精度が低下する。
３．）粗粒（製品）排出口の場合、付着が進行すると排出ができなくなり、分級ロータ過負荷による稼働停止。
４．）粗粒物−排出リングの場合、付着トナーが堆積して、融着が発生し稼働停止となる。
５．）渦巻部材の場合、付着トナーが堆積して、流入空気風量低下による分級精度が低下し、稼働停止となる。
【００１１】
このような付着を防止する技術としては、特許文献２に開示の技術が既に知られている。特許文献２には、フッ素樹脂他の手法によるコーティングにより付着を防止することが開示されている。
【００１２】
この他、特許文献５の特開平１１−１９７６０７号公報には、慣性式分級機において、分級点を決定する分級エッジの表面が、金属溶射後、フッ素化合物処理を施すことによって被覆された複合表面処理層を有しているこの分級機による電子写真用トナーの製造方法が開示されている。
【００１３】
しかし、前記特許文献２あるいは特許文献５の炭化クロムを含有するクロム合金やフッ素化合物は、金属（母材）に比べて抵抗値が高く、粉体との摩擦帯電により、機器内面に付着が少ずつ進行し、融着防止効果が低下してしまうという難点があった。またコーティング面の強度も十分ではなく、長時間使用後は、分解して剥離し再度コーティングする必要があるという問題もあった。
【００１４】
【特許文献１】特開平１０−１１８５７１号公報
【特許文献２】特開２００１−１０４８８８号公報
【特許文献３】特開２００１−２９３４３８号公報
【特許文献４】特願２００５−２１６６７５号明細書及び図面
【特許文献５】特開平１１−１９７６０７号公報
【発明の開示】
【発明が解決しようとする課題】
【００１５】
したがって、本発明の目的は、機械的遠心力型風力分級機（ＴＳＰ；トナーセパレータやＴＴＳＰ；タンデムトナーセパレータ）の風力分級機における上記の問題点を解決し、長期にわたって該機械的遠心力型風力分級機を含むトナー製造設備機内にトナー付着がなく、安定した分級粒度の確保ができ、トナーを高処理量かつ高収率で生産できるトナーの製造設備、製造方法を提供することにある。
【課題を解決するための手段】
【００１６】
本発明では、電子写真トナー製造用等に用いるトナー分級装置において、分級装置の出口配管の引圧を分級機内圧よりもマイナス側へ低くすることで、排出管での付着がなくなり、結果、装置内にトナー付着がなく安定した分級粒度を確保しての長期稼働が可能になる。ここでの分級装置には、分級ロータ及び分級ロータを収容した１つの分級室を１つまたは２つの同軸に配置された分級室を含み構成されたものも含まれる。
【００１７】
分級装置の出口配管の引圧を分級機内圧よりもマイナス側へ低くする手段としては、出口配管にホース等を接続し吸引することで排出管内の引圧が高まり、分級機内で分級されたトナーがスムーズに出口配管に排出されることで、トナー付着防止に良好な結果が効率的に得られる。
【００１８】
すなわち、上記課題は、本発明の（１）「羽根車型の分級機（通称TSP、TTSP(トナーセパレーター、タンデムトナーセパレーター)）の出口配管と分級機出口におけるマイナス静圧が、分級機出口内圧＜出口配管内圧の関係にあるトナー分級装置」、
（２）「前記羽根車型の分級機（TSP、TTSP）の出口配管に吸引ホースを設けたブロワー等の吸引手段により吸引することを特徴とする前記第（１）項に記載の分級装置」、
（３）「前記吸引ホースが微粉取り出し室側に接続していることを特徴とする前記第（１）項又は第（２）項に記載の分級装置」、
（４）「前記吸引ホースが原料投入口と接続していることを特徴とする前記第（１）項乃至第（３）項のいずれかに記載の分級装置」、
（５）「前記吸引ホースと出口配管との接続状態は、少なくとも吸引部の向きが製品排出側に接続されていることを特徴とする前記第（１）項乃至第（４）項のいずれかに記載の分級装置」、
（６）「前記吸引ホースの内径がφ２〜φ３０ｍｍであることを特徴とする前記第（１）項乃至第（５）項のいずれかに記載の分級装置」、
（７）「前記吸引ホースに流量調整弁を具備し分級機出口内圧に対し出口配管内圧が−１〜−２０Kpa引圧であることを特徴とする前記第（１）項乃至第（６）項のいずれかに記載の分級装置」により達成される。
また、上記課題は、本発明の（８）「分級工程を有するトナー製造方法であって、羽根車型の分級機（通称TSP、TTSP(トナーセパレーター、タンデムトナーセパレーター)）の出口配管と分級機出口におけるマイナス静圧が、分級機出口内圧＜出口配管内圧の関係にある分級機を用いたこと特徴とするトナー製造方法」、
（９）「前記羽根車型の分級機（TSP、TTSP）の出口配管に吸引ホースを設けた吸引手段により吸引することを特徴とする前記第（８）項に記載のトナー製造方法」、
（１０）「前記ホースが微粉取り出し室側に接続していることを特徴とする前記第（８）項又は第（９）項に記載のトナー製造方法」、
（１１）「前記ホースが原料投入口と接続していることを特徴とする前記第（８）項乃至第（１０）項のいずれかに記載のトナー製造方法」、
（１２）「前記吸引ホースと出口配管との接続状態は、少なくとも吸引部の向きが製品排出側に接続されていることを特徴とする前記第（８）項乃至第（１１）項のいずれかに記載のトナー製造方法」、
（１３）「前記吸引ホースの内径がφ２〜φ３０ｍｍであることを特徴とする前記第（８）項乃至第（１１）項のいずれかに記載のトナー製造方法」、
（１４）「前記吸引ホースに流量調整弁を具備し分級機出口内圧に対し出口配管内圧が−１〜−２０Kpa引圧であることを特徴とする前記第（１）項乃至第（６）項のいずれかに記載のトナー製造方法」により達成される。
【発明の効果】
【００１９】
以下の詳細かつ具体的な説明から明らかなように、本発明による分級装置を用いて、装置内にトナー付着がなく、安定した分級粒度の確保ができることが判った。本発明は、長期にわたって装置内にトナー付着がなく、分級粒度の確保等、安定して所望処理ができトナーを高処理量かつ高収率で生産できるトナーの製造設備が提供される。
【００２０】
そして、本発明のトナー製造方法は、本発明に係る製造装置部分で、高品位な処理が行える結果、より高性能のトナーが安定して製造できる。また、当該装置部分でのメンテナンスの省力化ができコスト低減につながるという極めて優れた効果を奏するものである。
【発明を実施するための最良の形態】
【００２１】
以下、本発明の実施の形態について、図面に従って説明する。図２は、本発明に係る機械的遠心力型風力分級機（ＴＳＰ；トナーセパレータ）の実施形態の概略構成を示す一部破断斜視図、図３〜図８は本発明に係るＴＴＳＰ（タンデムトナーセパレータ）型のトナー分級機の実施形態の構成を示す図で、うち、図３、図４は同ＴＴＳＰ型トナー分級機の概略構成を示す一部破断斜視図、図５は、同ＴＴＳＰ型トナー分級機全体の内部構造を示す斜視図で、図６は同ＴＴＳＰ型トナー分級機の内部構造を示す一部破図で、図７は同分級機の場合の本発明の特徴部の１例を示す拡大断面図、図８は本発明の他の特徴部の１例を示す詳細図である。
【００２２】
［第１実施形態；ＴＳＰ］
図２の機械的遠心力型風力トナー分級機（ＴＳＰ；トナーセパレータ）は、特許文献２の特開２００１−１０４８８８号公報にも判り易く開示されているような基本構造を有するものであるので、この特許文献２の説明に準拠して、この型の分級機の場合の本発明の要部構造を説明する（図中の各符号（６０１〜）は下２桁を〔特許文献２〕での符号に対応させて付してある）。先に記述したように、この型のトナー分級機は、回転するロータに設けられた羽根による遠心力とファン吸引力による求心力との均衡によって分級を行う。
【００２３】
この鉛直軸式の空気分級機は、ケーシング（６０１）と、ケーシング（６０１）内部の上方に収納された円筒状の分級ロータ（６０２）と、分級ロータ（６０２）の下方において垂直に配置された円筒状の駆動軸（６０３）と、駆動軸（６０３）の上端と分級ロータ（６０２）の下端を結合し分級ロータ（６０２）の下端を垂直に支持する分級ロータ支持部材（６０４）と、分級ロータ（６０２）の外周面に対して分級ロータ（６０２）の半径方向外側に間隔をおいて同軸状に配置された案内羽根環（６０５）とを備えている。分級ロータ（６０２）は、頂壁としての分配円板（６０６）と、この分配円板（６０６）に対して垂直下方に間隔をおいて配置された底壁としてのカバー円板（６０７）と、分配円板（６０６）とカバー円板（６０７）の周縁部間に配置された分級羽根環（６０８）とからなっている。この鉛直軸式の空気分級機においては、掃除を容易にするために、分配円板（６０６）、カバー円板（６０７）、及び分級羽根環（６０８）は、ネジ等によって、分解できるように固定されているが、溶接等により分解できないように固定するようにしてもよい。分配円板（６０６）は、回転すると、ケーシングカバー（６１４）に設けられた原料投入口（６１５）を介して投入される被分級原料（原料トナー粉）を全周に亘って均一に分配するように形成されている。分配円板（６０６）の中心部には、ネジ（６１１）の取り付け及び取り外しのための工具を挿入する孔（６０６a）が設けられ、孔（６０６a）の内周面にはネジ溝が刻設されており、キャップ要のネジ（６０９）が螺着されている。
【００２４】
分級羽根環（６０８）は、分級円板（６０６）及びカバー円板（６０７）の周縁部に沿って等間隔をおいて環状に配列された垂直方向に伸びる複数個の分級羽根によって構成され、その横断面形状及び向きは、同図（Ｂ）〜（Ｅ）に示されるように、互いに隣接する二つの分級羽根（６０８ａ）、(６０８ｂ)間に形成されるスリット状の間隙（Ｓ）の横断面形状が、分級空気の流れに適した形状となるように設定されている。
【００２５】
カバー円板（６０７）の中心部には、貫通孔（６１０）が設けられており、その周囲のカバー円板（６０７）下面に分級ロータ支持部材（６０４）が固定されている。分級ロータ支持部材（６０４）はネジ（６１１）によって駆動軸（６０３）の上端に取り外し可能に固定されている。分級ロータ支持部材（６０４）は、円形の天板（６２３）とこの天板（６２３）に対して垂直下方に伸びる複数個の間隔ウエブ（６２５）とからなっている。
【００２６】
天板（６２３）の上面の周縁部には、周方向に等間隔をおいて配置された複数個のネジ孔が設けられており、天板（６２３）は、このネジ孔に螺合するネジ（不図示）を介して分級ロータ（６０２）の下面に取り外し可能に固定されている。天板（６２３）には、円形の貫通孔（６２６）が同心状に形成されており、この貫通孔（６２６）と分級ロータ（６０２）のカバー円板（６０７）に形成された貫通孔（６１０）によって、分級ロータ支持部材（６０４）の内部と分級ロータ（６０２）の内部が連通した状態となっている。貫通孔（６１０）の径は、貫通孔（６２６）の径よりも小さくなっており、これによって絞り作用を有する遮蔽部が形成される。
【００２７】
これによって、分級ロータ（６０２）内部の空気が分級ロータ支持部材（６０４）に流れこみにくくなり、分級ロータ（６０２）内部の空気密度が幾分高くなるため、分級ロータ（６０２）内部に流れ込もうとする分級空気の流れが抑制され、粗粉トナーが分級ロータ（６０２）内部に流れ込みにくくなる。また、分級ロータ支持部材（６０４）内部に流れ込む空気が加速されるため、分級ロータ支持部材（６０４）内部の微粉の排出が促進される。
【００２８】
間隔ウエブ（６２５）は天板（６２３）及び底板（６２４）の周縁部に沿って等間隔をおいて環状に配列されており、その横断面形状及び向きは、互いに隣接する二つの間隔ウエブ（６２５）、（６２５）間に形成されるスリット状の間隙の横断面形状が、分級ロータ支持部材（６０４）から排出される空気の流れに適した形状となるように、例えば図２（Ｂ）〜（Ｅ）に示すような分級羽根（６０８ａ）の横断面形状に対応した形状になっている。
【００２９】
なお、間隔ウエブ（６２５）、（６２５）間に形成される間隙の、分級ロータ支持部材（６０４）の周壁の外周面に対する開口率は２０％以上であることが好ましいとされている。また、この開口率は、分級ロータ（６０２）の外周面における分級羽根環（６０８）、（６０８）間の間隙の開口率以上であることが好ましい。また、駆動軸（６０３）は下端側で中心線まわりに回転可能に支持されており、下端部は駆動モータ（不図示）の回転軸に連結されている。
【００３０】
案内羽根環（６０５）は、分級ロータ（６０２）の外周面の周方向と平行な方向に等間隔をおいて環状に配列され、ケーシング（６０１）に固定された複数個の垂直方向に延びる案内羽根によって構成されている。案内羽根の横断面形状及び向きは、互いに隣接する二つの案内羽根間に形成されるスリット状の間隙の横断面形状が分級空気の流れに適した形状となるように、例えば図２（Ｂ）〜（Ｅ）に示すような分級羽根（６０８ａ）の横断面形状に対応した形状になっている。
【００３１】
ケーシング（６０１）は上面に分級ロータ（６０２）を挿脱するための開口部（６１３）を有し、この開口部（６１３）にはケーシングカバー（６１４）が取り外し可能に取り付けられている。ケーシングカバー（６１４）の中心部には原料投入口（６１５）が設けられている。ケーシング（６０１）の内部には、案内羽根環（６０５）の外側に同軸状に配置された環状の分級空気供給室（６１６）と、分級ロータ（６０２）の下方において駆動軸（６０３）と同軸状に配置された環状の微粉排出室（６１７）と、微粉排出室（６１７）の外側に駆動軸（６０３）と同軸状に配置された環状の粗粉トナー排出室（６１８）とが設けられている。
【００３２】
分級空気供給室（６１６）は内周面が開口した断面矩形状のもので、案内羽根環（６０５）を構成する複数個の案内羽根間の間隙を介して分級空間（６１２）に連通している。分級空気供給室（６１６）には外部から分級空気を取り入れるための分級空気供給管（６１９）が連通接続されている。
【００３３】
微粉排出室（６１７）は、分級ロータ支持部材（６０４）に設けられた間隔ウェブ（６２５）及びカバー円板（６０７）に設けられた貫通孔（６１０）を介して分級ロータ（６０２）内部と連通している。微粉排出室（６１７）には、内部の微粉を外部に排出するための微粉出口としての微粉排出管（６６０）が連通接続されている。
【００３４】
粗粉トナー排出室（６１８）は分級空間（６１２）の下側に位置し、分級空間（６１２）の下端に連通している。粗粉トナー排出室（６１８）には、内部の粗粉トナーを外部に排出するための粗粉トナー出口としての粗粉トナー排出管（６２１）が連通接続されている。
【００３５】
分級ロータ（６０２）の下面とケーシング（６０１）の間にはシール部（６２２）が設けられている。このシール部（６２２）は、カバー円板（６０７）の下面周縁部全周部分と、これと同心状に対面するケーシング（６０１）の上面環状部分とによって構成され、これらの間には微小な間隙が形成されている。このシール部（６２２）によって、微粉排出室（６１７）が分級空間（６１２）及び粗粉トナー排出室（６１８）に対してシールされた状態になっている。
【００３６】
分級空間（６１２）の内部には、分級空間（６１２）内部における被分級物の滞留時間と凝集を制御するための螺旋状の渦巻部材（６２７）が分級ロータ（６０２）と同軸状に配置されている。渦巻部材（６２７）は帯状の部材を螺旋状に形成したもので、案内羽根環５の内周部に固定され、分級空間（６１２）の高さ方向のほぼ全長にわたって延びている。渦巻部材（６２７）の内周部と分級羽根環（６０８）の外周部の間には微小な間隙が形成されている。
【００３７】
渦巻部材（６２７）の勾配を選択することによって被分級物の滞留時間を調節することができる。即ち、勾配を大きくすると滞留時間が短くなり、勾配を小さくすると滞留時間が長くなる。
【００３８】
また、渦巻部材（６２７）の勾配を分級羽根環（６０８）の高さ方向に種々変化させることもできる。このようにすると、被分級物の滞留時間が分級羽根環（６０８）の高さ方向に種々調節されることになる。例えば、分級羽根環（６０８）の上部に対向する部位では勾配を大きくして被分級物を迅速に引き入れるようにし、分級羽根環（６０８）の高さ方向中央部に対向する部位では、勾配を小さくして被分級物の滞留時間を長くするようにし、分級羽根環（６０８）の下部に対向する部位では勾配を大きくして被分級物が迅速に排出されるようにする。
【００３９】
被分級物の凝集の制御は渦巻部材（６２７）の数を変化させることによって行うことができる。なお、渦巻部材（６２７）は必ずしも分級羽根の高さ方向全長にわたって延びている必要はなく、分級羽根の高さ方向の一部に設けるようにしてもよい。
【００４０】
粗粉トナー排出室（６１８）内部には、環状の粗粉トナー排出用部材（６２８）が同心状に設けられている。粗粉トナー排出用部材（６２８）は、粗粉トナー排出室（２１８）の内側側面及び底面に沿うように形成された断面Ｌ字形のもので、その上端は分級ロータ（６０２）のカバー円板（６０７）に固定されていて、分級ロータ（６０２）と一体的に回転する。これによって、粗粉排出室（２１８）内部の粗粉トナーが流動化して粗粉トナー排出室（２１８）からの排出が促進される。
【００４１】
粗粉トナー排出室（６１８）の内側側面及び底面と粗粉トナー排出用部材（６２８）の間には、後述する洗浄用空気が通るための間隙が形成されている。なお、粗粉トナー排出用部材（６２８）は、必ずしも粗粉トナー排出室（６１８）の全周にわたって存在するように環状に形成される必要は無く、粗粉トナー排出室（６１８）の周方向の一部にのみ存在するように形成してもよい。また、形状も上記形状に限定されるものではない。
【００４２】
ケーシング（６０１）には、分級ロータ（６０２）の下面との間に形成された間隙に洗浄用空気を導入するための空気通路（６２９）が形成されている。空気通路（６１９）の上端は分級ロータ（６０２）の下面とケーシング（６０１）の間に形成された環状の空気室（Ｃ）に連通しており、空気室（Ｃ）に供給された洗浄用空気は分級ロータ（６０２）の下面とケーシング（６０１）の間の微小な間隙を通って粗粉排出室（６１８）に流入し、さらに粗粉排出用部材（６２８）と粗粉排出室（６１８）の間の間隙を通って粗粉排出管（６２１）に流入し、外部に排出される。これによって、粗粉排出室（６１８）の内側側面及び底面と粗粉排出用部材（６２８）の間の粗粉を除去することができる。
【００４３】
上記洗浄用空気は分級ロータ（６０２）の下面とケーシング（６０１）の間の微小な間隙を通って微粉トナー排出室（６１７）にも流入するので、この間隙における微粉トナーの詰まりや付着を防止することができる。また、粗粉トナー排出室（６１８）内部の上方には円筒状の押さえリング（６３０）が同軸状に配置されており、この押さえリング（６３０）はケーシング（６０１）に固定されている。この押さえリング（６３０）によって粗粉トナー排出室（６１８）内部の粗粉トナーが分級空間（６１２）内に逆流するのが防止される。
【００４４】
この分級機の作用について説明する。分級空気室（６１６）には分級空気供給管（６１９）を介して分級空気が供給されており、この分級空気は案内羽根環（６０５）に形成された間隙を介して分級空間（６１２）内に噴出し、分級羽根環（６０８）に形成された間隙を介して、回転している分級ロータ（６０２）内部に流れ込んでいる。原料投入口（６１５）を介して投入された被分級物トナーは分級ロータ（６０２）の分配円板（６０６）によって全周方向に分散し、分級空間（６１２）内に流れ込む。
【００４５】
分級空間（６１２）内に流れ込んだ被分級物トナーは渦巻部材（６２７）の上面に沿って下方に移動してゆく。そして、被分級粗トナーが分級空間（６１２）内を通過する間に粒径の小さいトナー微粉は分級空気流に乗って分級ロータ（６０２）内部に流れ込み、分級空気流とともに軸方向下方に変向され、カバー円板（６０７）に形成された貫通孔（６１０）を介して分級ロータ支持部材（６０４）内部に流れ込む。そして、この微粉トナーは間隔ウエブ（６２５）、（６２５）間の間隙を介して微粉トナー排出室（６１７）内部に流れ込み、微粉トナー排出管（６６０）を介して外部に排出される。
【００４６】
一方、分級空間（６１２）内で分級空気流に乗らなかった粗粉トナーは渦巻部材（６２７）に沿って分級空間（６１２）内を下降し、粗粉トナー排出室（６１８）によって受け止められる。そして、この粗粉トナーは粗粉排出用部材（６２８）によって流動化され、粗粉トナー排出管（６２１）を介して外部に排出される。
【００４７】
しかし、分級ロータ支持部材（６０４）内部に流れ込む空気の加速は充分とはいえず、そのため、分級ロータ支持部材（６０４）内部の微粉の排出促進も充分ではない。
【００４８】
［第２実施形態；ＴＴＳＰ（その１）］
次に、上記のように、例えば通称ＴＴＳＰ（タンデムトナーセパレータ）と称される羽根車型の分級機が知られており、図３、図４にこの型の分級機の場合の本発明の１例を示す。この図３、図４の遠心力型風力トナー分級機（ＴＴＳＰ）は、特許文献３の特開２００１−２９３４３８号公報にも判り易く開示されているような基本構造を有するものであるので、この特許文献３の説明に準拠して、この型の分級機の場合の本発明を、要部構造を中心に説明する。
【００４９】
先に説明しように、図３、図４に示される分級機ＴＴＳＰは、一つのケーシング内で同軸上に複数の羽根車型ロータを有し、各分級ロータは回転数を互いに同じか或いは異ならせて接待可能であり、その各分級ロータに対応した複数段の分級が同時に行なえ、また、各分級ロータの互いに向き合う端部間において、軸方向に微小な流動空間を形成しているものである。
【００５０】
図３の分級機（１）は、分割可能でかつ蝶番（２）を介して旋回可能なケーシングからなっており、このケーシングは、上方のケーシング半部（３）と、下方のケーシング半部（４）とを有していて、それぞれ分級ロータ（５）、分級ロータ（９）を収容している。同図ではケーシング半部が閉じた状態を示しており、図４ではケーシング半部同士が開いた状態を示している。分級ロータ（５）は、上方のケーシング半部（３）内で、その駆動軸（７）が軸受部（６）内に回転可能に嵌合されている。分級ロータ（５）の駆動は駆動モータ（８）によって行なわれ、この駆動モータ（８）は駆動軸（７）を介して分級ロータ（５）と接続されている。
【００５１】
同様にして、上方のケーシング半部（３）と同軸上に対照的に向き合っている下方のケーシング半部（４）において、分級ロータ（９）は、その駆動軸（１０）が軸受部（１１）内に回転可能に嵌合されている。分級ロータ（９）の駆動は駆動モータ（１２）によって行なわれ、この駆動モータ（１２）は駆動軸（１０）を介して分級ロータ（９）と接続されている。
【００５２】
各分級ロータ（５）および（９）は、片側を支承されている分級ロータであり、それぞれの駆動軸（７）および（１０）、微粒子トナー取出室（１４）および（１３）、並びに軸受部（６）及び（１１）は、同一の側に閉じたカバー円板（１６）及び（１５）を有している。分級ロータ（５）及び（９）の軸方向外方側にはそれぞれ粗粒物−排出リング（セントリフューガルリング）（２８）及び（２９）が配設されている（図５参照）。
【００５３】
分級ロータ（５）の上側には、短管（１７）が配置されており、この短管（１７）を介して、分級される原料トナー（Ｔ）が円周範囲の１つの箇所から投入される。粗粒物のための出口短管（粗粒排出口）（１８）は、分級ロータ（９）の下側に配置されている。符号（１３），（１４）は軸方向外方上下にそれぞれ設けられた微粉排出口である。分級空気の供給は、分級ロータ（５）及び（９）の円周において、両方の接線方向側に開口した分級空気供給部（１９）及び（２０）を介して行われる。
【００５４】
分級ロータ（５）及び（９）は、分級機（１）内で同軸上に対照的に向き合って配置されており、それぞれのカバー円板（１６）及び（１５）は間隔をおいて互いに平行な平面内にある。この状態で、分級ロータ（５）及び（９）は同方向に回転する。そして、分級ロータ（５）及び（９）の回転数を同一に調整することにより、微粒物と粗粒物とに分級することができる。さらに、分級ロータ（５）及び（９）の回転数を異ならせて調整することにより、例えば微粒物取り出し室（１４）からは微粒物を、微粒物取り出し室（１３）からは中粒物を、そして出口短管（１８）からは粗粒物を、それぞれ取り出すことができる。なお、分級ロータ（５）及び（９）が互いに逆方向に回転する構成とすることもできる。上記カバー円板（１６）及び（１５）の間には流動空間（Ｂ）が形成されている。
【００５５】
この分級機（１）は、各分級ロータ（５），（９）の外周面に接する円筒状の分級空間（分級室）（２６）内には分級ロータ外周面から半径方向外側に間隔をおいて分級ロータ（５）（９）と同軸状に配置された円環状部材（ベーンリング）に螺旋状の渦巻部材（２７）を備えている（分級ロータ（９）のための渦巻部材は図３〜図５では省略されているが、図６に示されるように無論、設けてもよい）。渦巻部材（２７）は、分級空間（２６）内部における被分級物の滞留時間と凝集を制御するための部材で、帯状部材を螺旋状に形成しベーンリングとして構成してあり、ケーシング半部（３）及び／又は（４）の内周部に固定され、分級空間（２６）の高さ方向に延びている。渦巻部材（２７）の内周部と分級羽根間隔（８）の外周部の間には微小な間隙が形成されている。
【００５６】
上記カバー円板（１６）及び（１５）の間には流動空間が形成されている。この流動空間は、図３（ａ）の一点鎖線で囲んだＡ部の詳細図となっている。同図（ｂ）において、符号（ｇ）は被分級物トナー粒子を示しており、これらは分級ロータ（５）及び（９）の外周に沿って下方に落下する。このとき、分級ロータ（５）及び（９）、並びにそれぞれのカバー円板（１６）及び（１５）の回転によって、矢印（Ｂ）で示されるように、流動空間内にある空気が、回転するカバー円板（１６）及び（１５）の壁の近くで外方に向って押し出され、そこで、被分級物トナー粒子（ｇ）を引き込み、これを流動空間内に運び込んで分散させる。
【００５７】
図４は、分割可能なケーシングの開き旋回による開放状態を示す図であり、同図（a）
は開き始めた状態を、同図（ｂ）は完全に開いた状態を示している。
【００５８】
図５から理解されるように、この分級機（１）は、１つのケーシング（３），（４）内で片側を支承されていてモータ（８），（１２）で駆動可能な２つの羽根車型分級ロータ（５），（９）を有する。同軸上の各分級ロータ（５），（９）が、その軸方向の第１の端部において閉じられたカバー円板（１５），（１６）を有し、且つその軸方向の第２の端部において微粒物若しくは中粒物の取り出し機構を有している。
【００５９】
各分級ロータ（５），（９）の互いに向き合う端部間において、分級ロータの両方の第１の端部は端面が互いに向き合うように配置されていて、軸方向に微小な流動空間を形成している軸方向に微小な流動空間を形成している。
【００６０】
羽根車型分級ロータ（５），（９）はそれぞれ１つの接線方向分級空気供給部（１９），（２０）を有しており、この分級空気供給部は各分級ロータの高さのところに配置されており、さらに、被分級物供給部（１７）と、粗大分級物の取り出し機構（１８）と、分級領域とを有している。
【００６１】
この分級領域を通って、被分級物トナーが分級ロータの軸方向の延びの方向に流動する。各分級ロータ（５），（９）は回転数を互いに同じか或いは異ならせて設定可能であり、該各分級ロータに対応した複数段の分級を同時に行える。
【００６２】
即ち、図に示した分級機（１）は、分割可能で且つ蝶番（２）を介して矢印（Ｒ）方向に開き旋回可能なケーシングから成っており、このケーシングは上方のケーシング半部（３）と、下方のケーシング半部（４）とを有していて、それぞれ分級ロータ（５）及び（９）を収容している。同図ではケーシング半部が閉じた状態を示している。分級ロータ（５）は、上方のケーシング半部（３）内で、その駆動軸（７）が軸受け部（６）内に回転可能に嵌合されている。分級ロータ（５）の駆動は駆動モータ（８）によって行われ、この駆動モータ（８）は伝達機構（８’）を介して駆動軸（７）及び分級ロータ（５）と接続されている。
【００６３】
同様にして、上方のケーシング半部（３）と同軸上に対照的に向き合っている下方のケーシング半部（４）において、分級ロータ（９）は、その駆動軸（１０）が軸受け部（１１）内に回転可能に嵌合されている。分級ロータ（９）の駆動は駆動モータ（１２）によって行われ、この駆動モータ（１２）は伝達機構（１２’）を介して駆動軸（１０）及び分級ロータ（９）と接続されている。
【００６４】
各分級ロータ（５）及び（９）は、片側を支承されている分級ロータであり、それぞれの駆動軸（７）及び（１０）、微粒トナー取出室（１４）及び（１３）、並びに軸受け部（６）及び（１１）は、軸方向外方（上下端側）に対称に配置されている。また、それぞれ逆の側（軸方向中央側）に、閉じたカバー円板（１６）及び（１５）を有している。分級ロータ（５）及び（９）の軸方向外方側にはそれぞれ粗粒物−排出リング（セントリフューガルリング）（２８）及び（２９）が配設されている。
【００６５】
分級ロータ（５）の上側には、短管（１７）が配置されており、この短管（１７）を介して、分級される粒状物（Ｔ）（原料）が円周範囲の１つの箇所から装入される。粗粒物のための出口短管（粗粒（製品）排出口）（１８）は、分級ロータ（９）の下側に配置されている。符号（１３），（１４）は軸方向外方上下にそれぞれ設けられた微粉排出口である。分級空気の供給は、分級ロータ（５）及び（９）の円周において、両方の接線方向側に開口した分級空気供給部（１９）及び（２０）を介して行われる。
【００６６】
分級ロータ（５）及び（９）は、分級機（１）内で同軸上に対照的に向き合って配置されており、それぞれのカバー円板（１６）及び（１５）は間隔をおいて互いに平行な平面内にある。この状態で、分級ロータ（５）及び（９）は同方向に回転する。そして、分級ロータ（５）及び（９）の回転数を同一に調整することにより、微粒物と粗粒物とに分級することができる。さらに、分級ロータ（５）及び（９）の回転数を異ならせて調整することにより、例えば微粒物取り出し室（１４）からは微粒物を、微粒物取り出し室（１３）からは中粒物を、そして出口短管（１８）からは粗粒物を、それぞれ取り出すことができる。なお、分級ロータ（５）及び（９）が互いに逆方向に回転する構成とすることもできる。上記カバー円板（１６）及び（１５）の間には流動空間（Ｂ）が形成されている。
【００６７】
この分級機（１）は、各分級ロータ（５），（９）の外周面に接する円筒状の分級空間（分級室）（２６）内には分級ロータ外周面から半径方向外側に間隔をおいて分級ロータ（５）（９）と同軸状に配置された円環状部材（ベーンリング）に螺旋状の渦巻部材（２７）を備えている（分級ロータ（９）のための渦巻部材はこの図５では省略されているが、無論、図６に示されるように設けてもよい）。渦巻部材（２７）は、分級空間（２６）内部における被分級物の滞留時間と凝集を制御するための部材で、帯状部材を螺旋状に形成しベーンリングとして構成してあり、ケーシング半部（３）及び／又は（４）の内周部に固定され、分級空間（２６）の高さ方向に延びている。渦巻部材（２７）の内周部と分級羽根環（８）の外周部の間には微小な間隙が形成されている。
【００６８】
図７、図８に示されるように、本実施形態では、以上のように構成された分級機の軸方向外方上下にそれぞれ設けられた微粉排出口（１３），（１４）に吸引ホース（３０）を設け、微粉配管（３１）に接続され、ここに流量調整バルブ（３２）を備えている。この吸引ホース等はマイナス静圧が分級機出口内圧＜出口配管内圧の関係を維持出来れば微粉配管に接続しなくてもよい。たとえば、原料投入ホッパーへ接続する方法や吸引ホースのみ単独吸引するブロワー装置等の吸引手段を備えても同様な効果が得られる。
【００６９】
本実施形態においては、マイナス静圧が分級機出口内圧＜出口配管内圧の関係となるよう出口配管（３５）に吸引ホース（３０）等を備えることにより、分級機出口部でのトナー滞留をなくすことができてトナーが付着し難くなる。
【００７０】
上述の吸引ホース等は、出口配管に対し直角方向に接続しても勿論良いが、本実施形態では良品率向上を考慮して吸込口の方向を排出孔側に取り付けを実施している。（図８参照）
【実施例】
【００７１】
次に、既述した実施形態での効果を実施例により以下に説明する。先ず、本発明の効果を確認するために粉粒体の付着発生の過多・分級品の収率等を評価する方法について、以下に説明する。粒径分布の測定はコールター法による。コールターカウンター法によるトナー粒子の粒度分布の測定装置としては、コールターカウンターＴＡ−ＩＩやコールターマルチサイザーＩＩ（いずれもコールター社製）が挙げられる。
【００７２】
以下に測定方法について述べる。
まず、電解水溶液１００〜１５０ｍｌ中に分散剤として界面活性剤（好ましくはアルキルベンゼンスルフォン酸塩）を０．１〜５ｍｌ加える。ここで、電解液とは１級塩化ナトリウムを用いて約１％ＮａＣｌ水溶液を調製したもので、例えばＩＳＯＴＯＮ−ＩＩ（コールター社製）が使用できる。ここで、更に測定試料を２〜２０ｍｇ加える。試料を懸濁した電解液は、超音波分散器で約１〜３分間分散処理を行ない、前記測定装置により、アパーチャーとして１００μｍアパーチャーを用いて、トナー粒子又はトナーの体積、個数を測定して、体積分布と個数分布を算出する。得られた分布から、トナーの重量平均粒径（Ｄ４）、個数平均粒径を求めることができる。
【００７３】
チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満
；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを使用し、粒径２．００μｍ以上乃至４０．３０μｍ未満の粒子を対象とする。
【００７４】
＜トナー製造例＞
結着樹脂：ポリエステル樹脂                                １００重量部
帯電制御剤：３，５−ジ−ｔ−ブチルサリチル酸亜鉛塩            ２重量部
離型剤：カルナバワックス                                      ３重量部
着色剤：Ｃ．Ｉ．ピグメントイエロー１８０                      ５重量％
上記各素材の混合物を、２軸混練機で溶融混練後、冷却固化後粗粉砕してトナー原料を準備した。このトナー原料５００ｋｇをジェットミルにて粉砕して、重量平均粒径５．０８μｍ、４μｍ以下が５８．３個数％の被試験粉砕物を得た。
Ｄ4（重量平均径）／Ｄ1（個数平均径）は、１．３２であった。
【００７５】
上記の被試験粉砕物を、分級品のＤ4（重量平均径）／Ｄ1（個数平均径）が１．２０となるように初期条件設定し、実施例１及び比較例１では、ＴＴＳＰを用い、本発明による分級機出口配管にホースを接続し吸引した場合と未吸引の場合それぞれについて、ロータ周速６０ｍ/ｓｅｃ、投入量６０ｋｇ／時の条件で、粉砕物２００ｋｇを連続処理し、粉体の付着状況について、下記のイ．〜ト．の評価を行った。
【００７６】
イ．分級ロータ外周面の固着発生の有無
ロ．粗粒（製品）排出口の付着状態
ハ．粗粒物−排出リングの付着状態
ニ．渦巻部材の付着状態
ホ．分級品の収率
ヘ．２００ｋｇ連続処理の最後、１０ｋｇ処理時の分級品のＤ4／Ｄ1
ト．２００ｋｇ連続処理の最後、１０ｋｇ処理時の分級品の４μｍ以下含有率
【００７７】
実施例１及び比較例１、それぞれについての評価結果をまとめて表１として示す。
【００７８】
【表１−１】
2008026457.tif 000003
【００７９】
【表１−２】
2008026457.tif 000004
【００８０】
＜画像出力例１＞
また、実施例１にて得られた分級品１００重量部に、シリカ微粒子０．２重量部、酸化チタン０．２重量部を加え、ヘンシェルミキサーで混合し、篩にかけて、トナーＡを得た。
このトナーＡ５重量部と、重量平均径６０μｍのシリコンコートキャリア９５重量部をターブラミキサーで混合し、二成分現像剤Ａを作成した。
この二成分現像剤Ａをリコー製ＩＰＳＩＯ  ＣＯＬＯＲ  ８１５０にセットして、画像出力を行ったところ、極めて鮮明で、かつ、なめらかな階調の画像が得られた。
【００８１】
＜画像出力例２＞
次に比較例１にて得られた分級品を画像出力例１と同様にシリカ及び酸化チタンを混合し、トナーＢを得た。画像出力例１と同様に二成分現像剤を作成し、画像出力例１と同様に画像出力を行ったところ、画像出力例１に比べて、鮮明さに劣り、ざらついた画像が得られた。
【図面の簡単な説明】
【００８２】
【図１】微粉体製造システム（トナー製造システム）の一例を示すブロック図である。
【図２】本発明に係る機械的遠心力型風力分級機（ＴＳＰ；トナーセパレータ）の実施形態の概略構成を示す一部破断斜視図である。、図３〜図８は本発明に係るＴＴＳＰ（タンデムトナーセパレータ）型のトナー分級機の実施形態の構成を示す図で、うち、図３、図４は同ＴＴＳＰ型トナー分級機の概略構成を示す一部破断斜視図、図５は、同ＴＴＳＰ型トナー分級機全体の内部構造を示す斜視図で、図６は同ＴＴＳＰ型トナー分級機の内部構造を示す一部破図で、図７は同分級機の場合の本発明の特徴部の１例を示す拡大断面図、図８は本発明の他の特徴部の１例を示す詳細図。
【図３】本発明に係るＴＴＳＰ（タンデムトナーセパレータ）型のトナー分級機の実施形態の構成を示す図である。
【図４】本発明に係るＴＴＳＰ（タンデムトナーセパレータ）型のトナー分級機の実施形態の構成を示す別の図である。
【図５】本発明に係るＴＴＳＰ型トナー分級機全体の内部構造を示す斜視図である。
【図６】本発明に係るＴＴＳＰ型トナー分級機の内部構造を示す一部破図である。
【図７】本発明に係る分級機の場合の本発明の特徴部の１例を示す拡大断面図である。
【図８】本発明の他の特徴部の１例を示す詳細図である。
【符号の説明】
【００８３】
１  分級機
２  蝶番
３，４  ケーシング半部
５，９  分級ロータ
６，１１  軸受部
７，１０  駆動軸
８  分級羽根間隔
８，１２  駆動モータ
８’,１２’  伝達機構
１３，１４  微粒物取出室（微粉排出口）
１５，１６  カバー円板
１７  短管（被分級物供給部）
１８  出口短管（分級物の取り出し機構、出口配管）
１９，２０  分級空気供給部
２６  分級室（分級空間、案内羽根間隔）
２７  渦巻部材
２８，２９  粗粒物−排出リング
３０  吸引ホース
３１  微粉排出配管
３２  流量調整バルブ
３３  排出バルブ
３４  排出バルブ
３５  吸引ホース出口配管取付図
６０１  ケーシング
６０２  分級ロータ
６０３  駆動軸
６０４  分級ロータ支持部材
６０５  案内羽根環
６０６  分配円板（頂壁）
６０６ａ  孔
６０７  カバー円板（底壁）
６０８  分級羽根環
６０９  ネジ
６１０  カバー円板の貫通孔
６１１  ネジ
６１２  分級空間
６１３  ケーシングの開口部
６１４  ケーシングカバー
６１５  原料投入口
６１６  分級空気供給室
６１７  微粉排出室
６１８  粗粉排出室
６１９  分級空気供給管
６２０  微粉排出管（微粉出口）
６２１  粗粉排出管（粗粉出口）
６２２  シール部
６２３  天板
６２４  底板
６２５  間隔ウェブ
６２６  貫通孔
６２７  渦巻部材
６２８  粗粉トナー排出用部材
６３０  押さえリング
８３１  粉砕手段
８３２  分級手段
Ｂ  方向
Ｃ  空気室
ｇ  分級物粒子
Ｒ  旋回方向
Ｔ  粒状物
【図１】
2008026457.tif 000005
【図２】
2008026457.tif 000006
【図３】
2008026457.tif 000007
【図４】
2008026457.tif 000008
【図５】
2008026457.tif 000009
【図６】
2008026457.tif 000010
【図７】
2008026457.tif 000011
【図８】
2008026457.tif 000012